(57)【特許請求の範囲】
【請求項１】
蒸発器(30)から発生した除霜水を貯留して蒸発させる強制蒸発機構であって、
前記蒸発器(30)からの除霜水が貯留され、その底板(36a)が傾斜するドレンパン(36)と、
前記底板(36a)の外面において最も高くなる傾斜上端近傍に配設された加熱ヒータ(38)と、
前記ドレンパン(36)における加熱ヒータ(38)の配設位置より下方に配設され、前記加熱ヒータ(38)への通電のＯＦＦ制御を行なうために該ドレンパン(36)の内部温度を検知する温度検知手段(40)とから構成した
ことを特徴とする除霜水の強制蒸発機構。
【請求項２】
前記底板(36a)の内面側には、前記加熱ヒータ(38)の配設位置から下方に延在するスペーサ(52)が、該底板(36a)に対して毛細管現象により下方の除霜水を加熱ヒータ(38)の配設側へ引上げ得る隙間(54)を画成した状態で配設されている請求項１記載の除霜水の強制蒸発機構。
【請求項３】
前記加熱ヒータ(38)は、自律制御可能な自律制御型のヒータである請求項１または２記載の除霜水の強制蒸発機構。
【請求項４】
前記加熱ヒータ(38)は、一定時間間隔毎に通電がＯＮされると共に、前記温度検知手段(40)が設定温度を検知した際に通電がＯＦＦされる請求項１,２または３記載の除霜水の強制蒸発機構。
【発明の詳細な説明】
【０００１】
【発明の属する技術分野】
この発明は、除霜水の強制蒸発機構に関し、更に詳細には、蒸発器の除霜に際して発生する除霜水を効率的に蒸発処理し得る強制蒸発機構に関するものである。
【０００２】
【従来の技術】
被冷却物である食材等を冷却貯蔵するショーケースは、図１１に示す如く、内装板２０と外装板２２との間に断熱材を配設した断熱箱体１８の内部に、食材等を収納する冷却室１２を画成すると共に、圧縮機３４や凝縮器３２および蒸発器３０等を備える冷却機構１６が、該断熱箱体１８の上部に画成した機械室１４内に配置され、この冷却機構１６によって冷却室１２を冷却するよう構成されている。このようなショーケースでは、前記蒸発器３０の運転を継続すると該蒸発器３０の表面に霜が層状に成長し、該霜が冷却能力を低下させてしまうため、蒸発器３０での着霜量が所定値を越えた場合は、この蒸発器３０での冷却を停止して除霜運転が行なわれ、これにより除霜水が発生する。
【０００３】
また図１２に示す如く、前記蒸発器３０は蒸発器カバー４８で断熱的に覆われると共に、該カバー４８に、前記冷却室１２への冷却空気の供給および吸入の各経路が形成されている。この蒸発器カバー４８の内部に配置されている蒸発器３０から排出される前記除霜水は、該蒸発器カバー４８の所定位置に取付けられた排出管４８ａを介して、蒸発器カバー４８に隣接して配設されるドレンパン３５に排出・貯留される。ドレンパン３５は、上方に開口した矩形の箱体形状を呈しており、その底部下面にドレンパン３５を介して除霜水を加熱するための加熱ヒータ３７が配設されている。またドレンパン３５には、貯留される除霜水の水位検知のために水位センサ５０,５０が上下に所定間隔離間して取付けられる。前記水位センサ５０および冷却機構１６は、図示しない制御装置により制御されるようになっており、前記加熱ヒータ３７に対しては、該水位センサ５０,５０から得られる水位情報によりＯＮ・ＯＦＦ制御される。
【０００４】
すなわち、前記ドレンパン３５に排出・貯留された除霜水の量が増加して前記上側の水位センサ５０まで水位が上昇した場合に、前記加熱ヒータ３７への通電がＯＮされ、除霜水の強制加熱が開始されて順次強制蒸発処理される。そして、水位が下側の水位センサ５０を下回れば、前記加熱ヒータ３７への通電がＯＦＦされるように制御されている。
【０００５】
【発明が解決しようとする課題】
前記除霜水の強制蒸発処理は、加熱ヒータ３７によりドレンパン３５自体を加熱し、その後ドレンパン３５を介して除霜水を加熱している。この場合に、前述した従来のドレンパン３５は矩形の箱体形状であるため、該ドレンパン３５に貯留される除霜水の水位はどの位置でも一定であり、従って除霜水を強制蒸発処理するためには、ドレンパン３５内に貯留される除霜水全量を加熱しつつ、蒸発可能な温度に至らす必要がある。この結果、除霜水の蒸発処理のために要する時間が長くなると共に、エネルギーコストが嵩み、効率的な蒸発処理を行なうのは困難であった。
【０００６】
また前記加熱ヒータ３７の制御には、複数の水位センサ５０,５０からの水位情報を基にＯＮ・ＯＦＦ制御するという最も単純な制御方法が用いられている。しかしながら、この制御を行なうために複数の水位センサ５０が必要となり、製造コストが上昇する。また水位センサ５０,５０の配設位置によって、加熱ヒータ３７のＯＮ,ＯＦＦが過剰に行なわれ、該ヒータ３７が短期間で劣化する難点も指摘される。
【０００７】
なお、蒸発器３０から排出される除霜水の排出構造としては、図１３に示す如く、該蒸発器３０の下部に設けた排水受３１に除霜水を一旦受容し、該排水受３１および蒸発器カバー４８の所定位置に取付けた排出管４８ａをドレンパン３５の上方に臨ませ、該排出管４８ａからドレンパン３５に除霜水を排出するものがある。しかるにこの構成では、前記排水受３１から導出されている排水管４８ａの配設位置が、前記ドレンパン３６の上方に位置することになり、前記蒸発器３０の配設位置が高くなってしまう。このため、機械室１４自体をコンパクトにまとめられなくなってしまう欠点が指摘される。このような欠点を回避するため、図１４に示す如く、前記排水管４８ａの配設位置を下方に移動させて、前記ドレンパン３６の内底面近傍の高さ位置に取付ける構成が提案される。この構成であると、前記排水管４８ａが取付けられる排水受３１の取付位置を低くできるので、結果として前記蒸発器３０および排水受３１が収納される蒸発器カバー４８の全高を小さく抑えることが可能となる。
【０００８】
しかしこの構成の場合、前記ドレンパン４８と排水受３１とが排水管４８ａを介して連通状態となり、図１５に示す如く、ドレンパン４８内における除霜水の水位によっては排水受３１内に除霜水が残留することになる(図１５(ａ)参照)。前記除霜水の排出が増加し、前記ドレンパン４８での蒸発処理が間に合わない場合、該ドレンパン４８内の除霜水の水位上昇に従って、排水受３１内の除霜水水位も上昇することになる(図１５(ｂ)参照)。この結果、前記排水受３１内に貯留される除霜水の水面が前記蒸発器３０に接近し、該除霜水が凍結してしまうことがあった。このような状態になると、以後に発生する除霜水の処理が不可能となり冷却能力が低下するばかりか、冷却機構１６全体に過大な負荷が掛かってしまう問題も指摘される。
【０００９】
【発明の目的】
本発明は、前述した従来の技術に内在している前記課題に鑑み、これを好適に解決するべく提案されたものであって、蒸発器からドレンパンに排出・貯留される除霜水の水量に拘わらず、常に効率の良い強制蒸発処理を行なうと共に、その制御機構を簡略化し得る除霜水の強制蒸発機構を提供することを目的とする。
【００１０】
【課題を解決するための手段】
前記課題を克服し、所期の目的を好適に達成するため本発明に係る除霜水の強制蒸発機構は、
蒸発器から発生した除霜水を貯留して蒸発させる強制蒸発機構であって、
前記蒸発器からの除霜水が貯留され、その底板が傾斜するドレンパンと、
前記底板の外面において最も高くなる傾斜上端近傍に配設された加熱ヒータと、
前記ドレンパンにおける加熱ヒータの配設位置より下方に配設され、前記加熱ヒータへの通電のＯＦＦ制御を行なうために該ドレンパンの内部温度を検知する温度検知手段とから構成したことを特徴とする。
【００１１】
【発明の実施の形態】
次に、本発明に係る除霜水の強制蒸発機構につき、好適な実施例を挙げて、添付図面を参照しながら以下説明する。
【００１２】
実施例に係る除霜水の強制蒸発機構を採用した冷蔵ショーケース１０は、図１,図２および図３に示す如く、内装板２０、外装板２２および内装板２０と外装板２２との間に充填される断熱材２４から構成された断熱箱体１８の内部に、冷却室１２が断熱的に画成されると共に、断熱箱体１８の上部に配設されたキャビネット２５内に機械室１４が画成されている。冷却室１２を画成する断熱箱体１８の前部および後部に開設した夫々の開口部１８ａ,１８ｂには、ガラス等を嵌込んだ引戸２６,２６が、冷蔵ショーケース１０の長手方向(図３における左右方向)に自在に摺動可能に取付けてある。また前記冷却室１２における底部の所定位置には、前記断熱箱体１８を貫通して該冷却室１２内に溜った露等を外部に排出するための排水部２８が設けられている。
【００１３】
前記機械室１４内には、図３に示す如く、蒸発器３０、凝縮器３２および圧縮機３４等から構成される冷却機構１６が設置されており、図示しない制御装置によって、前記冷却室１２内を設定温度に維持するよう運転制御される。前記蒸発器３０は、前記冷却室１２との空気の循環経路となると共に、前記機械室１４内とは断熱された蒸発器カバー４８により覆われている。また蒸発器３０は、凝縮器３２と圧縮機３４との間に配置されると共に、該凝縮器３２を挟んで蒸発器３０とは反対側に、凝縮器３２を空冷する凝縮器ファン３２ａが配置される。そして、凝縮器ファン３２ａからの風が凝縮器３２を冷却(熱交換)することで生じる温排風が、前記蒸発器カバー４８からの除霜水を貯留・処理するドレンパン３６(後述)に接触するように構成されている。
【００１４】
図４に示す如く、前記蒸発器カバー４８の内部に配置されている蒸発器３０の除霜により発生する除霜水は、この蒸発器カバー４８の所定位置に取付けられた排出管４８ａを介して、該蒸発器カバー４８に隣接して配設(凝縮器３２とは反対側に配設)されるドレンパン３６に排出・貯留される。このドレンパン３６は、上方に開口すると共に、下方に突出する側面において略ホームベース形状を呈している。すなわち、本実施例で採用されるドレンパン３６の底板３６ａは、その断面形状が前後方向の中央において下向きに突出する略Ｖ字形状に形成され、ドレンパン３６の内部に貯留される除霜水の深さが各部位で異なるよう構成される。ちなみに、底板３６ａの内面側における両傾斜面の角度は、略１６２度(各傾斜面が水平面に対して略９度で傾斜する)となるよう設定されている。またドレンパン３６の前後には、底板３６ａの最下端(折曲部)より下方に延出する支持脚３６ｂ,３６ｂが設けられ、該支持脚３６ｂ,３６ｂを介してドレンパン３６を断熱箱体１８の天井面に配設することで、前記外装板２２から底板３６ａの最下端が所定間隔離間し、冷却室１２に対して熱を伝えないよう構成される。なお、前記排出管４８ａは、図４に示すようにドレンパン３６の上端より上方に位置し、ドレンパン３６に貯留される除霜水が排出管４８ａを介して逆流しないようになっている。
【００１５】
前記底板３６ａの前後両端部近傍(底板３６ａの最も高くなる傾斜上端近傍)の外面に、加熱ヒータ３８,３８が、ドレンパン３６の全長(図３における左右方向)に亘って配置されている。この加熱ヒータ３８は、底板３６ａの下面に取付けられるので、除霜水と直接接触することなく、ドレンパン３６を介して除霜水を加熱することができ、また除霜水による汚れを防止できる。なお、前記ドレンパン３６の総容量は、発生する除霜水理論量の６時間分に設定されている。この容量の設定値は、大きすぎると冷蔵ショーケース１０自体の大きさに影響を与え、一方小さすぎると発生した除霜水のオーバーフローの危険があるのでこのように設定されており、また材質としては熱伝導率の高い、例えばアルミ金属等が好適に採用される。
【００１６】
前記ドレンパン３６には、前記加熱ヒータ３８の配設位置の下方近傍で、除霜水が貯留される内部温度を検知する、温度検知手段としてのサーミスタ４０が配設されており、該サーミスタ４０からの温度情報により、前記制御装置が加熱ヒータ３８への通電のＯＦＦ制御を行なっている。実施例のサーミスタ４０による検知温度(設定温度)は、水分が蒸発するのに充分で、かつ高温による危険性が低い１０５℃に設定されている。また加熱ヒータ３８への通電のＯＮ制御は、図示しないタイマにより、所要時間(例えば３時間)毎に行なうよう設定される。なお、サーミスタ４０の配設位置は、前記加熱ヒータ３８の配設位置に近接しており、該加熱ヒータ３８による温度上昇を迅速に検知し得るようになっている。
【００１７】
本実施例では前記加熱ヒータ３８として、自律制御可能なＰＴＣ(サーミスタ)を備えた自律制御型のヒータを採用している。このＰＴＣヒータは、予め設定された自律設定温度を維持し得るよう自律的に電源のＯＮ・ＯＦＦ制御がなされるものであり、その自律設定温度は前記サーミスタ４０の設定温度よりは高く設定される。すなわち、前記サーミスタ４０等の故障が発生したとしても、加熱ヒータ３８自体が自律的に自律設定温度を維持するよう制御されて、ドレンパン３６から除霜水が溢れるのを防止し得るよう構成される。
【００１８】
【実施例の作用】
次に、前述した実施例に係る除霜水の強制蒸発機構の作用につき説明する。前記冷蔵ショーケース１０の冷却運転が開始されると共に、前記蒸発器３０の除霜運転が行なわれて除霜水が発生しているものとする。
【００１９】
前記蒸発器３０から発生した除霜水は、前記排水管４８ａを介してドレンパン３６に送られ順次貯留される。前記ドレンパン３６に対しては、常に凝縮器３２からの温排風が接触されるよう構成されているので、前記除霜水が少量の場合には、該温排風のみで充分に強制蒸発処理が行なわれる。このときの蒸発熱は、廃棄すべき凝縮器３２の廃熱の有効利用となるので省エネとなる。
【００２０】
前記ドレンパン３０に貯留される除霜水の前記加熱ヒータ３８による強制蒸発処理に関しては、冷蔵ショーケース１０の運転が開始されてから、タイマに設定された設定時間(３時間)が経過した時点で、加熱ヒータ３８への通電が開始(ＯＮ)され、先ず前記ドレンパン３６の底板３６ａが加熱される。底板３６ａが加熱されると、該底板３６ａを介して前記加熱ヒータ３８近傍(底板３６ａの高さ位置の高い方)に貯留されている除霜水から順次加熱され、該除霜水が蒸発処理される。ドレンパン３６内における除霜水の水位は、図５に示す如く、底板３６ａの傾斜のために一定しておらず殆どゼロの部分も存在しており、またこの水位が殆どゼロに近い部位は、底板３６ａの傾斜の向きにより常に前記加熱ヒータ３８側となる。従って、除霜水の加熱は均一に行なわれるのではなく、水位がゼロに近く、前記底板３６ａに近接している位置に効率的に伝達されることになる。従って傾斜が施されている底板３６ａを越えて除霜水が貯留されなければ、常に上記の加熱状態が再現されることになり、常に効率の良い強制蒸発処理が可能となる。また前記加熱ヒータ３８による蒸発処理には、前述した凝縮器ファン３２ａからの温排風による蒸発処理の効果も加わるので、より効率的なものとなっている。ここで蒸発処理された除霜水蒸気は、前記凝縮器ファン３２ａからの送風により常時機外へ排出されるので、機械室１４内にこもって悪影響を与えることがない。
【００２１】
前記加熱ヒータ３８の制御は、図６に示す如く、冷蔵ショーケース１０の運転開始時を起点として、該運転開始時および以後３時間毎に加熱ヒータ３８がＯＮとなるように設定されている。この場合に、前記加熱ヒータ３８の加熱運転間隔は３時間であるので、前述したように前記ドレンパン３６の総容量が除霜水理論発生量の６時間分に対して充分な余力を持った設定となっており、常に前記ドレンパン３６内の除霜水が少ない状態で蒸発処理が施されることになる。また、常に変動する除霜水水位を検知して加熱ヒータ３８のＯＮ,ＯＦＦを制御しないから、該加熱ヒータ３８が短期間で劣化するのを防止し得る。
【００２２】
前記ドレンパン３６内に貯留された除霜水の水面が、前記サーミスタ４０を越えている場合、前記加熱ヒータ３８からの熱は該除霜水の蒸発処理に使用されるので、該サーミスタ４０で検知される温度は１００℃を超えることはなく、除霜水の蒸発処理が継続される。除霜水の蒸発によりその水面がサーミスタ４０を下回ると、加熱ヒータ３８からの熱が前記ドレンパン３６を介してサーミスタ４０に直に伝達されるので、該サーミスタ４０で検知される温度は１００℃から上昇する。そして、サーミスタ４０が設定温度である１０５℃を検知すると、前記加熱ヒータ３８への通電がＯＦＦされる。なお、加熱ヒータ３８がＯＦＦされた以後であっても、前記凝縮器ファン３２ａからの温排風による蒸発処理がなされる。また加熱ヒータ３８のＯＦＦ以降は、運転開始からの運転時間を算出して、この時間が３の倍数、すなわち３時間毎に該加熱ヒータ３８への通電のＯＮを繰返すように制御される。この設定により、加熱ヒータ３８は頻繁なＯＮ・ＯＦＦ制御されない。
【００２３】
ここで、前記加熱ヒータ３８として自律制御して自律設定温度を維持するＰＴＣヒータを採用しているので、前記サーミスタ４０が故障してＯＦＦ状態への移行が出来なくなっても、加熱ヒータ３８は自律設定温度(除霜水を蒸発し得る温度)に維持され、これ以上には上昇しないので高熱となって安全性を害したり、除霜水の蒸発処理が行なわれずにオーバーフロすることはない。なお、サーミスタ４０の故障は、作業者に対して適宜の手段で表示して警告を促すよう構成することが推奨される。
【００２４】
【別実施例】
図７〜図１０は、別実施例に係る除霜水の強制蒸発機構を示すものであって、基本的な構成は前述した実施例と同じであるので、異なる部分についてのみ説明する。なお、前述した実施例と同一部材には同じ符号を付して示す。
【００２５】
図７および図８に示す如く、前記蒸発器カバー４８の内部には、前記蒸発器３０の下方に排水受３１が配置され、蒸発器３０からの除霜水が該排水受３１に一旦受容されるようになっている。この排水受３１の所定位置に取付けられた排水管４８ａは、前記蒸発器カバー４８を貫通してドレンパン３６の内部下方位置に延出しており、該排水管４８ａを介して排水受３１の除霜水がドレンパン３６に排出・貯留される。前記排水受３１は、前記蒸発器３０の下方に所定距離離間して、この蒸発器３０からの除霜水を全て回収し得るように、該蒸発器３０より一回り大きな受皿状に形成されている。また排水受３１の底面は、前記蒸発器３０からの除霜水を効率的にドレンパン３６に排出するために、該ドレンパン３６側が傾斜下端となる所定角度の傾斜を有しており、この傾斜下端部に前記排水管４８ａが接続してある。なお排水管４８ａも、排水受３１の底面の傾斜に合わせて同様に傾斜して設置されている。
【００２６】
前記ドレンパン３６の底板３６ａにおける内面側には、図９に示す如く、ドレンパン３６の下方に突出した最下端辺を中心線として左右対称位置に、２枚のスペーサ５２,５２が、底板３６ａと略平行な状態で前記各加熱ヒータ３８の配設位置から下方に延在するよう配設される。各スペーサ５２は、ドレンパン３６の全長(図８において左右方向)に亘って臨み、該ドレンパン３６における略Ｖ字形状の両側面(図８において左右方向の側面)に溶接等の手段を用いて固定されている。また各スペーサ５２と底板３６ａの内面との間には、毛細管現象により下方に貯留されている除霜水を加熱ヒータ３８の配設側へ引上げ得る隙間５４が画成される。なお、各スペーサ５２の下端位置は、前記排水受３１に除霜水が残留しない状態時のドレンパン３６における水位位置付近(排水管４８ａの連通位置近傍)に、また上端位置は、少なくとも前記加熱ヒータ３８の配設される下端位置より上方となるように夫々設定される。
【００２７】
前述した別実施例に係る除霜水の強制蒸発機構では、前記の実施例と同様に、前記ドレンパン３６に貯留される除霜水は、前記各加熱ヒータ３８により効率的に蒸発処理される。また、除霜水の量が加熱ヒータ３８の配設位置より減少しても、図１０に示す如く、底面３６ａとスペーサ５２との間に画成される隙間５４の毛細管現象により、下方に貯留されている除霜水が加熱ヒータ３８の配設位置近傍に引上げられる。そして、この加熱ヒータ３８近傍にて、除霜水が効率良く加熱されて蒸発処理される。このようにして前記加熱ヒータ３８近傍の除霜水が完全に蒸発すれば、順次下方より除霜水が引上げられて蒸発処理される。従って、除霜水の水位が前記加熱ヒータ３８の下端部近傍を下回っても、該除霜水の水位が前記スペーサ５２の下端部を下回るまで蒸発処理が順次少量づつ継続するものである。
【００２８】
すなわち、前記スぺーサ５２と底板３６ａとの間に画成される隙間５４の毛細管現象により、加熱ヒータ３８の熱が充分に伝達されない位置の除霜水を随時加熱ヒータ３８近傍に移動させて、効率の良い除霜水処理を行なうことができる。これにより、ドレンパン３６に貯留される除霜水の水位を、前記排水受３１に除霜水が殆ど残留しないか、または非常に低い水位とし得る状態とすることができ、前記蒸発器３０の冷気により排水受３１内の除霜水が凍結して、冷却運転の効率が低下する現象を回避できる。また、排水受３１を低い位置に設置し得るから、前記蒸発器カバー４８をコンパクトにまとめることが可能となる。更に、ドレンパン３６内における低い位置の除霜水まで蒸発処理し得るので、当該ドレンパン３６における除霜水の貯留容量を増加することができる。
【００２９】
実施例や別実施例では、ドレンパンの底板を、断面略Ｖ字形状としたが、片側にのみ傾斜する形状としたり、あるいは複数のＶまたはレ字状が繰返される形状としてもよい。また実施例では、冷蔵ショーケースを好適例として説明したが、本発明に係る強制蒸発機構はこれに限定されるものではなく、冷蔵庫、冷凍庫等にも好適に採用可能である。更に温度検知手段としては、サーミスタ以外のものであってもよい。なお、前記スペーサは、ドレンパンの左右方向の全長に亘って配設される１枚物に限らず、複数のスペーサを左右方向に所定間隔離間して配設した構成を採用し得る。また、スペーサをドレンパンの一部分にのみ配設してもよい。
【００３０】
【発明の効果】
以上説明した如く、本発明に係る除霜水の強制蒸発機構では、除霜水の強制蒸発処理を行なうドレンパンの底板に傾斜を設け、その傾斜上端近傍に加熱ヒータを配設したので、水位が低い部位の除霜水を専ら加熱して蒸発させることができ、効率的な蒸発処理が達成される。また、加熱ヒータの配設位置より下方に温度検知手段を配設することで、該ヒータの配設位置より除霜水の水位が低い場合の温度上昇を容易に検知することができ、加熱ヒータによる過剰加熱を防止し得る。更に、ドレンパン内にスペーサを配設して毛細管現象を起こす隙間を画成したことにより、加熱ヒータの熱が充分に伝達されない位置の除霜水を随時加熱ヒータ近傍に移動させて、より効率の良い除霜水処理を行なうことができる。
【００３１】
前記加熱ヒータとして自律制御型のヒータを用いることにより、温度検知手段等の不具合による制御が不能となった場合であっても、自律設定温度以上には上昇しないので、蒸発処理を安全的に継続可能である。また、加熱ヒータを一定時間間隔毎にＯＮ制御するので、該ヒータを頻繁にＯＮ,ＯＦＦすることによる早期の劣化を防止し得る。
【図面の簡単な説明】
【図１】  本発明の好適な実施例に除霜水の強制蒸発機構を採用した冷蔵ショーケースを示す斜視図である。
【図２】  実施例に係る冷蔵ショーケースを示す側断面図である。
【図３】  実施例に係る冷蔵ショーケースを一部切欠いて示す正面図である。
【図４】  実施例の蒸発器カバーおよびドレンパンを示す斜視図である。
【図５】  実施例のドレンパンを示す断面図である。
【図６】  実施例に係る加熱ヒータの制御を示すフローチャート図である。
【図７】  別実施例に係るドレンパンを蒸発器カバーと共に示す斜視図である。
【図８】  別実施例に係るドレンパンを蒸発器カバーと共に示す縦断正面図である。
【図９】  別実施例に係るドレンパンを示す断面図である。
【図１０】  別実施例に係るスペーサにより画成される隙間の毛細管現象を示す状態図である。
【図１１】  従来の技術に係るショーケースを一部切欠いて示す正面図である。
【図１２】  従来の技術に係る蒸発器カバーおよびドレンパンを示す斜視図である。
【図１３】  別の従来の技術に係る蒸発器カバーおよびドレンパンを示す斜視図である。
【図１４】  更に別の従来の技術に係る蒸発器カバーおよびドレンパンを示す斜視図である。
【図１５】  図１４に示す従来の技術に係る排水受に貯留される除霜水の状態を示す縦断正面図である。
【符号の説明】
３０ 蒸発器，３６ ドレンパン，３６ａ 底板，３８ 加熱ヒータ
４０  サーミスタ(温度検知手段)，５２ スペーサ，５４ 隙間
【図１】
0003710674.tif 000002
【図２】
0003710674.tif 000003
【図３】
0003710674.tif 000004
【図４】
0003710674.tif 000005
【図５】
0003710674.tif 000006
【図６】
0003710674.tif 000007
【図７】
0003710674.tif 000008
【図８】
0003710674.tif 000009
【図９】
0003710674.tif 000010
【図１０】
0003710674.tif 000011
【図１１】
0003710674.tif 000012
【図１２】
0003710674.tif 000013
【図１３】
0003710674.tif 000014
【図１４】
0003710674.tif 000015
【図１５】
0003710674.tif 000016